(57)【特許請求の範囲】
【請求項１】
甲革（１１，１１１，２１１）を備えてなり、この甲革が、液体状態にある水に対して不透過性であって水蒸気に対して透過性である甲革膜（１２，１１２，２１２）によって、少なくとも一部分で裏張りされ、前記甲革膜（１２，１１２，２１２）が、液体状態にある水に対して不透過性である底革（１３，１１３，２１３）へ密封状に接続されている防水性・透湿性の靴であって、
前記密封状接続は、組付中底（１５，１１５，２１５）の中に含まれた密封要素（１４，１１４，２１４）によってもたらされ、
前記密封要素（１４，１１４，２１４）は、にかわ、密封用接着剤、あるいは前記底革を設けるための高分子材料のような密封材料に関して透過性であり、
前記密封要素（１４，１１４，２１４）は、前記甲革膜（１２，１１２，２１２）を把持する前記密封材料で含浸されているとともに、前記底革（１３，１１３，２１３）へ接続されているか、あるいは、それとともに単一体を形成し、前記底革（１３，１１３，２１３）を前記甲革膜（１２，１１２，２１２）へ密封していること
を特徴とする防水性・透湿性の靴。
【請求項２】
当該靴は、透湿性・防水性インサート（１６，１１６，２１６）を備え、このインサートは、液体状態にある水に対して不透過性であって水蒸気に対して透過性である同インサートの膜（１７，１１７，２１７）を含み、前記インサートは、少なくとも１つの開口によって、あるいは複数の孔によって画定された、前記底革（１３，１１３，２１３）の少なくとも１つの透湿性部分（１８，１１８，２１８）に配置され、この透湿性部分は、当該靴の液体状態にある水に対する耐密性のために少なくとも前記密封要素（１４，１１４，２１４）によって密封状に接続されている前記透湿性・防水性インサート（１６，１１６，２１６）、 前記底革（１３，１１３，２１３）および前記甲革膜（１２，１１２，２１２）のうちの少なくとも２つを被覆し、前記密封要素（１４，１１４，２１４）は、前記透湿性部分（１８，１１８，２１８）の周辺領域と、それを被覆する前記インサートの前記膜（１７，１１７，２１７）の周辺領域とに設けられていることを特徴とする請求項１に記載の靴。
【請求項３】
前記密封要素（１４，１１４，２１４）は、３次元布地、合成材料から作られたメッシュ、金属材料から作られたメッシュ、およびアラミド繊維布地の中から選択された材料から作られていることを特徴とする請求項１に記載の靴。
【請求項４】
当該靴は、細かいナイロンメッシュ（２０）を備え、このナイロンメッシュは、前記甲革膜（１２，１１２，２１２）へ、その取り扱いを改善するために、密接状に接続されていることを特徴とする請求項１に記載の靴。
【請求項５】
当該靴は、内側ライニング（１９）を備え、この内側ライニングは、
−連続気泡型発泡ポリマーから作られた透湿性パッド（２１）、
−当該靴（１０）の内側にある透湿層（２２）
のうちの少なくとも１つを備えていることを特徴とする請求項１に記載の靴。
【請求項６】
前記甲革膜（１２，１１２，２１２）と前記インサートの前記膜（１７，１１７，２１７）とは、発泡ポリテトラフルオロエチレン、ポリウレタン、および同種の他のものの中から選択された材料から作られていることを特徴とする請求項２に記載の靴。
【請求項７】
前記透湿性・防水性インサート（１６，１１６，２１６）は、
−前記インサートの前記膜（１７，１１７，２１７）の下方に配置された透湿性支持層（２３）、
−前記インサートの前記膜（１７，１１７，２１７）を補強するために、合成材料から作られ、前記インサートの前記膜（１７，１１７，２１７）に関する上向き領域に結合された透湿性の細かいメッシュ（２４）、
−前記インサートの前記膜（１７，１１７，２１７）と前記支持層（２３）との間における衝撃に対してその膜を保護するために、前記インサートの前記膜（１７，１１７，２１７）に関する下向き領域に結合された透湿性保護層（２５）、
−前記インサートの前記膜（１７，１１７，２１７）と前記支持層（２３）との間にあり、穿孔および切断に対する高い抵抗性がある透湿層（２６）
のうちの少なくとも１つを備えていることを特徴とする請求項２に記載の靴。
【請求項８】
当該靴は、第１実施形態では、透湿性であるかあるいは散乱状に穿孔された内側中底（２７）を備え、この内側中底は、前記甲革膜（１２）を含んでいる前記内側ライニング（１９）の下方端縁に周辺で結合され、前記組付中底（１５）は、前記内側中底（２７）において、水蒸気に対して透過性であるかあるいは散乱状に穿孔された中心要素（２８）を備え、前記密封要素（１４）は、前記中心要素（２８）に関する枠によって構成され、周辺で前記甲革（１１）へ接続され、かつ、前記内側ライニング（１９）を前記内側中底（２７）へ接続するための領域を跨ぐように配置され、前記底革（１３）は、少なくとも前記中心要素（２８）において、前記透湿性・防水性インサート（１６）と、対応する前記透湿性部分（１８）とを有していることを特徴とする請求項５に記載の靴。
【請求項９】
前記底革（１３）は、高分子材料から作られ、かつ、前記組付中底（１５）において、前記甲革（１１）の下部における直接射出によって型成形され、前記密封要素（１４）は、前記甲革膜（１２）を把持して前記底革（１３）を前記甲革膜（１２）へ密封するために、それを通して浸透した前記高分子材料によって含浸され、前記透湿性・防水性インサート（１６）は、液体状態にある水に対する前記底革（１３）の耐密性のために、また、前記透湿性・防水性インサート（１６）での水蒸気に対するその透過性のために、前記透湿性部分（１８）を被覆するように前記底革（１３）へ周辺で密封されていることを特徴とする請求項２に記載の靴。
【請求項１０】
前記底革（１３）は、高分子材料から作られ、かつ、前記組付中底（１５）において、事前型成形されて、接着剤によって前記甲革（１１）の下部に結合され、前記密封要素（１４）は、前記甲革膜（１２）を把持して前記底革（１３）を前記甲革膜（１２）へ密封するために、それを通して浸透した前記接着剤によって含浸され、前記透湿性・防水性インサート（１６）は、密封部を形成するために前記底革（１３）へ周辺で接続され、それによって、液体状態にある水に対する前記底革（１３）の耐密性のために、また、前記透湿性・防水性インサート（１６）での水蒸気に対するその透過性のために、前記透湿性部分（１８）を被覆していることを特徴とする請求項２に記載の靴。
【請求項１１】
前記底革（１３）は、高分子材料から作られ、前記組付中底（１５）において、事前型成形されて、接着剤によって前記甲革（１１）の下部に結合され、前記密封要素（１４）は、前記甲革膜（１２）を把持するために、それを通して浸透した密封用接着材料によって含浸され、前記底革（１３）は、前記甲革膜（１２）への密封を完全なものにするために、前記密封用接着材料により含浸された前記密封要素（１４）へ、接着剤によって密封され、前記透湿性・防水性インサート（１６）は、液体状態にある水に対する前記底革（１３）の耐密性のために、また、前記透湿性・防水性インサート（１６）での水蒸気に対するその透過性のために、前記透湿性部分（１８）を被覆して前記底革（１３）への密封部を形成するように、周辺で接続されていることを特徴とする請求項２に記載の靴。
【請求項１２】
前記甲革（１１）に、前記組付中底（１５）への接続のためのフラップが設けられ、これらのフラップは、前記密封要素（１４）と前記底革（１３）との間にそれらの一部分が介在されるように、「ＡＧＯ靴型合わせ」作業法によって、その下方で折り曲げられていることを特徴とする請求項１に記載の靴。
【請求項１３】
当該靴は、第２実施形態では、前記組付中底（１１５）を２つ備え、その第１組付中底（１１５ａ）は、水蒸気に対して透過性であるかあるいは散乱状に穿孔され、かつ、前記密封要素のうちの第１密封要素（１１４ａ）を構成する第１フレームによって包囲された第１中心要素（１２８ａ）を備え、その第２組付中底（１１５ｂ）は、前記第１中心要素（１２８ａ）における下向き領域において前記透湿性・防水性インサート（１１６）によって構成され、かつ、前記密封要素のうちの第２密封要素（１１４ｂ）を構成する第２フレームによって包囲された第２中心要素（１２８ｂ）を前記２つの組付中底（１１５ａ，１１５ｂ）の間に備え、前記第１密封要素（１１４ａ）は、前記甲革膜（１１２）を備えている内側ライニング（１１９）へ周辺で接続されており、また、前記第２密封要素（１１４ｂ）は、対応する接続領域を跨ぐように配置され、前記第２密封要素（１１４ｂ）は、前記甲革（１１１）へ周辺で接続され、前記第１密封要素（１１４ａ）は、前記第２密封要素（１１４ｂ）と前記透湿性・防水性インサート（１１６）との間の接続のための領域に重ね合わされ、かつ、同領域を跨いでいることを特徴とする請求項２に記載の靴。
【請求項１４】
前記底革（１１３）は、高分子材料から作られ、かつ、前記組付中底（１１５ａ，１１５ｂ）において、前記甲革（１１１）の下部の上への直接射出によって型成形され、前記第１密封要素（１１４ａ）および前記第２密封要素（１１４ｂ）は、前記甲革膜（１１２）と、前記インサートの前記膜（１１７）とを把持するために、また、それらを前記底革（１１３）へ密封するために、それらを通して浸透した前記高分子材料によって含浸されていることを特徴とする請求項１３に記載の靴。
【請求項１５】
前記底革（１１３）は、高分子材料から作られ、事前型成形されるとともに、前記組付中底（１１５ａ，１１５ｂ）において、接着剤によって前記甲革（１１１）の下部に結合され、前記第１密封要素（１１４ａ）および前記第２密封要素（１１４ｂ）は、前記甲革膜（１１２）と前記インサートの前記膜（１１７）とを把持するために、また、それらを前記底革（１１３）へ密封するために、それらを通して浸透した前記にかわによって含浸されていることを特徴とする請求項１３に記載の靴。
【請求項１６】
前記底革（１１３）は、高分子材料から作られ、事前型成形されるとともに、前記組付中底（１１５ａ，１１５ｂ）において、接着剤によって前記甲革（１１１）の下部に結合され、前記第１密封要素（１１４ａ）および前記第２密封要素（１１４ｂ）は、前記甲革膜（１１２）と、前記インサートの前記膜（１１７）とを把持するために、それらを通して浸透した密封用接着材料によって含浸され、前記底革（１１３）は、前記密封用接着材料により含浸された前記第２密封要素（１１４ｂ）へ接着剤によって密封されていることを特徴とする請求項１３に記載の靴。
【請求項１７】
前記甲革（１１１）は、前記第２組付中底（１１５ｂ）への接続のためのフラップ（１３０）を有し、これらのフラップは、前記第２密封要素（１１４ｂ）と前記底革（１１３） との間にそれらの一部分が介在されるように、「ＡＧＯ靴型合わせ」作業法によって、前記第２組付中底（１１５ｂ）の下方に折り曲げられていることを特徴とする請求項１３に記載の靴。
【請求項１８】
第３実施形態では、前記組付中底（２１５）は、水蒸気に対して透過性であるかあるいは散乱状に穿孔された中心要素（２２８）を備え、前記密封要素（２１４）は前記中心要素（２２８）に関する枠によって構成され、前記甲革（２１１）は、「ＡＧＯ靴型合わせ」作業法によって前記密封要素（２１４）と前記底革（２１３）との間にそれ自体の一部分が介在されるように、それに結合された前記甲革膜（２１２）とともに、前記密封要素（２１４）に関する下向き領域に接続され、前記甲革膜（２１２）の下部フラップが、前記甲革（２１１）と前記密封要素（２１４）との間でそれらの接続部において挟み込まれていることを特徴とする請求項１に記載の靴。
【請求項１９】
前記底革（２１３）は、少なくとも前記中心要素（２２８）において、前記透湿性・防水性インサート（２１６）と、対応する前記透湿性部分（２１８）とを有していることを特徴とする請求項１８に記載の靴。
【請求項２０】
前記中心要素（２２８）は、前記透湿性・防水性インサート（２１６）によって構成されていることを特徴とする請求項１８に記載の靴。
【請求項２１】
甲革（１１，１１１，２１１）を備えてなり、この甲革が、液体状態にある水に対して不透過性であって水蒸気に対して透過性である甲革膜（１２，１１２，２１２）によって、少なくとも一部分で裏張りされ、前記甲革膜（１２，１１２，２１２）が、液体状態にある水に対して不透過性である底革（１３，１１３，２１３）へ密封状に接続されている防水性・透湿性の靴であって、
前記密封状接続は、組付中底（１５，１１５，２１５）の中に含まれた密封要素（１４，１１４，２１４）によってもたらされ、
前記密封要素（１４，１１４，２１４）は、にかわ、密封用接着剤、あるいは前記底革を設けるための高分子材料のような密封材料に関して透過性であり、
前記密封要素（１４，１１４，２１４）は、前記甲革膜（１２，１１２，２１２）を把持する前記密封材料で含浸されているとともに、前記底革（１３，１１３，２１３）へ接続されているか、あるいは、それとともに単一体を形成し、前記底革（１３，１１３，２１３）を前記甲革膜（１２，１１２，２１２）へ密封し、
前記組付中底（１５，１１５，２１５）は、水蒸気に対して透過性であるかあるいは散乱状に穿孔された中心要素（２８，１２８，２２８）を備え、前記密封要素（１４，１１４，２１４）は、前記中心要素（２８，１２８，２２８）に関する枠によって構成されている
ことを特徴とする防水性・透湿性の靴。
【発明の詳細な説明】
【技術分野】
【０００１】
この発明は防水性・透湿性の靴に関するものである。
【背景技術】
【０００２】
靴の快適性は、解剖学的に適合する諸特性を修正することに関連があるだけでなく、発汗により靴の内部に発生した水蒸気の外方透過を修正することにも関連がある、という事実が現在知られている。
【０００３】
伝統的に、透湿性の靴は、なめし革のような天然材料あるいは同等製造物を用いるものであるが、しかしながら、それらの透湿特性のために、雨天あるいは悪天候のときには、良好な防水性が保証されず、また、実際に水を比較的たやすく吸収する。
【０００４】
このような理由で、なめし革（あるいは同種の他のもの）から作られ、透湿性・防水性の膜(例えば、発泡ポリテトラフルオロエチレン、ｅ−ＰＴＦＥ、ポリウレタン、ＰＵなどから作られた)が備わったライニングへ結合され、中底へ縫い付けられ、あるいは中底へにかわで接合された甲革の備わった靴が、ここ数年、使用されてきた。
【発明の概要】
【発明が解決しようとする課題】
【０００５】
しかしながら、さらにまた知られているように、足の汗の大部分は、足の裏と、典型的には高分子材料から作られている靴の底革との境界面に発生する。
【０００６】
このような境界面に生成された汗は蒸発することができず、そのため、足が載る足載せ部の上に凝縮し、ほんのわずかな割合の汗だけが甲革を通して蒸発する、ということが明らかである。
【０００７】
従って、完全に防水性かつ透湿性である靴を提供するために、上で説明された甲革のような防水性・透湿性甲革に結合された透湿性・防水性底革（例えば、イタリア特許第１，２８２，１９６号に開示された底革のようなもの）を有する靴が、これまで何年間も考案されてきた。
【０００８】
この種の靴は、例えば、国際公開ＷＯ０９７／１４３２６号に開示されている。実際に、ＷＯ０９７／１４３２６号に開示された靴には、孔のある接地体と、水の浸透を許容しないようにするために、この接地体の孔を被覆するとともにこの接地体に周辺でかつ密封状に接合された防水性・透湿性の膜とで設けられた底革が備わっている。
【０００９】
この底革によれば、靴の内側の環境と外側の環境との間における熱および水蒸気の効果的な交換に加えて、適正な蒸気透過が保証され、さらに、上記膜が結合された上記甲革によって達成されるものに類似した方法によって、外部の湿気および水に対する必要な耐密性が保証される。
【００１０】
この靴の形状構成では、底革および甲革は、両方とも透湿性かつ防水性である、はっきりと異なる２つの部材であり、これらは、その接続箇所における水の上昇を防止するために、互いに結合され、かつ、密封されている。
【００１１】
従って、これらの靴に使用された底革は、水蒸気の透過が可能であるが水が外側から内方へ移動しないように構成されており、このため、この底革の構造は伝統的な底革よりも複雑であり、また、この複雑さは、上記膜の収容によって、また、底革に対する上記膜の適正な周辺密封によって生じている。
【００１２】
記載されたこの種の靴における甲革の構造は伝統的な甲革と比較して、通常、きわめて複雑であり、また、この複雑さは、上記膜の備わったライニングと上記中底の下方に配置された付加的な膜との密封が可能なように同ライニングをそれ自体の上に折り曲げる必要性から、あるいは、甲革と底革との周辺密封をもたらすために甲革よりも大きい膜の備わったライニングを備える必要性から生じている。
【００１３】
これらの解決法を採用すると、設けられた靴には、爪先部およびかかと部で折り曲げられていてもいなくても、膜の備わったライニングに実際にたやすく形成され、甲革の膜と中底に配置された膜との容易な密封に対する完全な弊害になる折れしわがある、といういくつかの短所につながる。
【００１４】
外部からの水のほんのわずかな浸透さえも防止するためには、底革が透湿性のものであるか否かにかかわらず、これらの靴の製造において、中底、上記膜の備わったライニング、および底革の間における接続領域の密封に注意を払うことが一般に重要である。
【００１５】
この発明の目標は、中底、膜および底革の間における接続領域の効果的な密封部が備わっている防水性・透湿性の靴を提供することである。
【００１６】
この目標の範囲内で、この発明の１つの目的は、防水性かつ水蒸気透過性であって、構造的に簡単に獲得される靴を提案することである。
【００１７】
この発明の別の目的は、完全に防水性かつ水蒸気透過性であるとともに、丈夫であり、また耐久性がある靴を提供することである。
【００１８】
この発明の別の目的は、防水性かつ水蒸気透過性であるとともに、公知のシステムおよび技術で製造することのできる靴を提供することである。
【課題を解決するための手段】
【００１９】
この目標、これらの目的、および後にいっそう明らかになるであろう他の目的は、甲革を備えてなり、この甲革が、液体状態にある水に対して不透過性であって水蒸気に対して透過性である甲革膜によって、少なくとも一部分で裏張りされ、上記甲革膜が、液体状態にある水に対して不透過性である底革へ密封状に接続されている防水性・透湿性の靴であって、上記密封状接続は、組付中底の中に含まれた密封要素によってもたらされ、上記密封要素は、にかわ、密封用接着剤、あるいは上記底革を設けるための高分子材料のような密封材料に関して透過性であり、上記密封要素は、上記甲革膜を把持する上記密封材料で含浸されているとともに、上記底革へ接続されているか、あるいは、それとともに単一体を形成し、上記底革を上記甲革膜へ密封していることを特徴とする防水性・透湿性の靴によって達成される。
【図面の簡単な説明】
【００２０】
この発明のさらに別の特性および利点は、添付図面において非限定的な例として示されたこの発明による靴の、好ましいが限定的ではないいくつかの実施形態の記載から、いっそう明らかになるであろう。
【００２１】
【図１】図１は、この発明による靴の斜視図である。
【図２】図２ａ、図２ｂおよび図２ｃは、この発明による靴の第１実施形態の３つの変形例における細部の拡大断面図である。
【図３】図３は、この発明による靴の上記第１実施形態における細部の図である。
【図４】図４は、この発明による靴の第２実施形態における細部の拡大縮尺断面図である。
【図５】図５は、この発明による靴の上記第２実施形態に関する変形例における細部の拡大縮尺断面図である。
【図６】図６は、この発明による靴の第３実施形態における細部の拡大縮尺断面図である。
【図７】図７は、この発明による靴の上記第３実施形態に関する変形例における細部の拡大縮尺断面図である。
【図８】図８は、この発明による靴の甲革部の断面における細部の拡大縮尺図である。
【図９】図９は、この発明による靴の底革の断面における細部の拡大縮尺図である。
【００２２】
この特許獲得過程の間にすでに公知であると認められた任意のものは、特許請求されることがなく、また、放棄の対象でない、と解されることに留意すべきである。
【発明を実施するための形態】
【００２３】
図面によれば、参照符号１０が防水性・透湿性の靴を全体として表わしており、この靴には甲革１１が備わり、この甲革は、液体状態にある水に対して不透過性であり、かつ、水蒸気に対して透過性である甲革膜１２によって、少なくとも一部分が裏張りされている。
【００２４】
有利であるのは、この甲革が先革およびかかと革で補強されていることであるが、これらの先革およびかかと革は、添付図面には示されておらず、また、両方とも、透湿性のものであるかあるいは有孔のものであり、さらに、それらの透湿性を阻害しないようにするために、スポット接着によって甲革へ接合されている。
【００２５】
甲革膜１２は、液体状態にある水に対して不透過性である底革１３へ密封状に接続されている。
【００２６】
この発明による靴１０の特質は、甲革膜１２と底革１３との間における上記密封状接族部が密封要素１４によって設けられ、この密封要素が組付中底１５に含まれている、という点にある。
【００２７】
上記密封要素１４は密封材料に対して透過性であり、この密封材料は例えば、にかわであってもよく、あるいは、上記底革が作られた高分子材料であってもよく、また、上記密封要素１４は、上記密封材料で含浸されており、甲革膜１２を把持するとともに底革１３へ接続されているか、あるいは、底革１３を甲革膜１２へ密封する単一体を、それらとともに形成している。
【００２８】
好ましいのは、この靴１０に透湿性・防水性インサート１６もまた備わっていることであり、その場合、同インサートには、液体状態にある水に対して不透過性であり、水蒸気に対して透過性である膜１７が備わっており、同インサートは、それが被覆する開口あるいは複数の孔によって画定された、底革１３の少なくとも１つの透湿性部分１８に配置されている。
【００２９】
透湿性・防水性インサート１６、底革１３および甲革膜１２は、この靴を液体状態にある水に対して不透過性にするために、少なくとも密封要素１４によって密封状に接続されている。
【００３０】
さらに一般的には、代わりの解決法において、透湿性・防水性インサート１６、底革１３および甲革膜１２のうちの少なくとも２つは、少なくとも密封要素１４によって密封状に接続されている。
【００３１】
密封要素１４は、透湿性部分１８の周辺領域および上記インサートの膜１７の周辺領域に設けられていると、有利である。
【００３２】
さらにまた、密封要素１４は、３次元布地、合成材料から作られたメッシュ、金属材料から作られたメッシュ、およびアラミド繊維布地の中から選択された材料から作られていると、都合がよい。
【００３３】
この靴１０には内側ライニング１９が備わっていると、有利である。好都合であるのは、細かいナイロンメッシュ２０が、甲革膜１２に結合されているとともに、その取り扱いを改善するために適したものであることである。
【００３４】
さらに記載されていないいくつかの実施形態では、上記甲革膜に結合された２つ以上の細かいナイロンメッシュが存在している。
【００３５】
特に図８を参照すると、内側ライニング１９は、
−連続気泡型発泡ポリマーから作られた透湿性パッド２１、
−布地あるいはなめし革から作られて靴１０の内側に設置された透湿層２２
を備えているのが好ましい。
【００３６】
甲革膜１２と上記インサートの膜１７とは、発泡ポリテトラフルオロエチレン、ポリウレタンなどの中から選択された材料から作られているのが好ましい。
【００３７】
特に図９を参照すると、透湿性・防水性インサート１６は、
−使用中におけるユーザーの足の沈下を防止するために、透湿性部分１８の延長部あるいは多数の孔にその補強が必要なときに、上記インサートの膜１７の下方に配置され、かつ、設けられた透湿性支持層２３、
−上記インサートの膜１７を補強するとともに、その取り扱いを改善するために、透湿性合成材料、例えばナイロンから作られ、その膜１７に関する上向き領域に結合された細かいメッシュ２４、
−上記インサートの膜１７と支持層２３との間における衝撃に対してその膜１７を保護するために、上記インサートの膜１７に関する下向き領域に結合された透湿性保護層２５、
−上記インサートの膜１７と支持層２３との間に、例えばＫｅｖｌａｒ（登録商標）から作られ、穿孔および切断に対する高い抵抗性がある透湿層２６
のうちの少なくとも１つを備えている。
【００３８】
図２ａにおいて非限定的な例としてその第１構成的変形例に示された第１実施形態では、靴１０には、透湿性であるかあるいは散乱状に穿孔され、かつ、好ましくは第１シュトローベル（Ｓｔｒｏｂｅｌ）縫い目２９ａによって内側ライニング１９の下方端縁に周辺で結合された内側中底２７が備わっていると、有利である。
【００３９】
図８において非限定的な例として示されたように、内側ライニング１９には、好ましくは細かいナイロンメッシュ２０の介在を伴った、甲革１１に対向する甲革膜１２が備わっていると、都合がよい。
【００４０】
内側ライニング１９には、密封用接着剤によってあるいはその上にヒートシールされる密封用テープによって密封された縫い目があると、有利である。
【００４１】
組付中底１５には、内側中底２７において、水蒸気に対して透過性であるかあるいは散乱状に穿孔された中心要素２８が備わっているのが好ましい。
【００４２】
加えて、密封要素１４は、好ましくは第２シュトローベル縫い目２９ｂによって周辺で甲革１１へ接続され、かつ、内側ライニング１９と内側中底２７との間における接続の領域を跨ぐように配置された中心要素２８の枠によって構成されている。
【００４３】
底革１３には、中心要素２８に配置されているのが好ましい透湿性・防水性インサート１６と、これに対応する透湿性部分１８とが設けられている。
【００４４】
さらにまた、底革１３は、高分子材料から作られているのが好ましく、また、組付中底１５において甲革１１の下部への直接射出によって型成形されており、ここで、密封要素１４は、甲革膜１２を把持し、底革１３を上記甲革膜１２へ密封するために、それを通して浸透した上記高分子材料によって含浸されている。
【００４５】
甲革に対する直接射出は、高分子材料の射出という単一作業で底革１３が甲革１１に直接、設けられる製造方法であって、適切に作られた母型が、甲革組付体の全体が嵌められる金属製靴型によって閉鎖される製造方法である。
【００４６】
上記高分子材料は、もちろん、流体であるかあるいは加熱によって流体にされたものであり、上記甲革組付体の底部に底革１３を直接形成するために、上記母型の中へ射出されるが、ほとんど液体である上記高分子材料は、甲革１１の材料および中底１５の材料に事実上、容易に浸透することができるとともに、それらへ上記高分子材料自体を確実に固定することができる。
【００４７】
透湿性・防水性インサート１６は、液体状態にある水に対する底革１３の耐密性のために、また、その透湿性・防水性インサート１６での水蒸気に対するその透過性のために、透湿性部分１８を被覆するように底革１３へ周辺で密封されている。
【００４８】
直接射出および実質的にそれと同等のものの代案である１つの方法では、底革１３は、高分子材料から作られており、また、好ましくは、事前型成形されて、組付中底１５において、接着剤によって甲革１１の下部に結合されている。
【００４９】
密封要素１４は、甲革膜１２を把持して底革１３を甲革膜１２へ密封するために、それを通して浸透した上記にかわによって含浸されている。
【００５０】
上記のにかわに代わるものとして、シリコーン接着剤あるいは熱可塑性接着剤あるいは「反応性ホットメルト」として一般に知られた密封剤のような接着剤および密封材料、例えば、登録商標Ｉｐａｔｈｅｒｍ  Ｓ  １４／１７６によって知られたもののようなポリウレタン、またはこの種の他のものを使用することができる。
【００５１】
具体的には、密封要素１４は、甲革膜１２を把持するためにそれに浸透する上記密封用接着材料によって含浸されている。
【００５２】
底革１３は、甲革膜１２への密封を完全なものにするために、密封用接着材料により含浸された密封要素１４へ、接着剤によって密封されている。
【００５３】
加えて、透湿性・防水性インサート１６は、液体状態にある水に対する底革１３の耐密性のために、また、その透湿性・防水性インサート１６での水蒸気に対するその透過性のために、底革１３へ周辺で密封状に接続されている。
【００５４】
上記第１実施形態のこの第１変形例では、透湿性・防水性インサート１６は、それを被覆しているとともにそれに対して透湿性部分１８とは反対側にある透湿性あるいは有孔の部分３０が備わった底革１３の内側に収容されている。
【００５５】
図２ｂに例として示された、上記第１実施形態の第２変形例では、透湿性・防水性インサート１６は、底革１３の上に重ね合わされて、組付中底１５においてそれを支持している。
【００５６】
この第２変形例では、透湿性・防水性インサート１６は、密封要素１４に含浸される密封用接着材料によって、または、これに代わるものとしての接着剤によるかあるいは底革１３を構成する高分子材料によって、密封要素１４へ周辺で密封されている。
【００５７】
底革１３には接地層１３ａが備わっているが、この接地層は透湿性部分１８において孔が開けられていると、都合がよい。
【００５８】
図２ｃに非限定的な例として示された代わりの組付体による解決法では、甲革１１に、組付中底１５への接続のためのフラップ１１ａが備わり、これらのフラップ１１ａは、甲革１１と底革１３との間にそれらの一部分が介在されるように、「ＡＧＯ靴型合わせ法」として知られた作業方法によって、その下方で折り曲げられている。
【００５９】
具体的には、上記接続用フラップ１１ａは、底革１３と密封要素１４との間に一部分だけが介在されるように、また、甲革膜１２を密封するためのその容易な含浸を妨げないように、組付中底１５の下方に折り曲げられている。
【００６０】
密封要素１４は接続用フラップ１１ａによって完全には覆われていないが、その理由は、そうでないときには、底革１３の高分子材料の浸透あるいは密封要素１４における密封用材料の浸透が阻止されるからである、ということに留意すべきである。
【００６１】
この場合には、底革１３への甲革部の接続のための「ＡＧＯ靴型合わせ」作業法が備わっている靴１０の甲革部の実現の間に、組付中底１５の下方に折り曲げられた甲革１１のフラップ１１ａは、上記接着剤の固着のために粗くされている。
【００６２】
この作業の間に、組付中底１５は、そこへ接続された甲革膜１２と粗面加工機との間に介在されて、この加工機による甲革膜１２の損傷が際立たされる。
【００６３】
図４に非限定的な例として示された第２実施形態では、靴１１０には２つの組付中底が備わっているのが好ましく、その第１組付中底１１５ａには、水蒸気に対して透過性であるかあるいは散乱状に穿孔され、かつ、第１密封要素１１４ａを形成する第１フレームによって包囲された第１中心要素１２８ａが備わっており、その第２組付中底１１５ｂには、第１中心要素１２８ａにおける下向き領域において透湿性・防水性インサート１１６によって構成され、かつ、第２密封要素１１４ｂを構成する第２フレームによって包囲された第２中心要素が備わっている。
【００６４】
有利であるのは、フレームを形成する第１密封要素１１４ａが、好ましくは第１シュトローベル縫い目１２９ａによって内側ライニング１１９へ周辺で接続されており、また、フレームを形成する第２密封要素１１４ｂが、対応する接続領域を跨ぐように配置されているとともに、次には、好ましくは第２シュトローベル縫い目１２９ｂによって甲革１１１へ周辺で結合されている、ことである。
【００６５】
好都合なことに、甲革膜１１２の取り扱いを改善するため、内側ライニング１１９には、甲革膜１１２に結合された好ましくは細かいナイロンメッシュの介在で、甲革１１１に対向する甲革膜１１２が備わっている。
【００６６】
有利であるのは、内側ライニング１１９に、密封用接着剤によって、あるいはその上にヒートシールされる密封用テープによって密封された縫い目が備わっていることである。
【００６７】
さらにまた、第１密封要素１１４ａは、それを跨ぐように、第２密封要素１１４ｂと上記第２中心要素、すなわち透湿性・防水性インサート１１６との間の接続領域に重ね合わされているのが好ましい。
【００６８】
底革１１３は、高分子材料から作られているとのが好ましく、また、組付中底１１５ａおよび１１５ｂにおいて甲革１１１の下部への直接射出によって型成形されており、ここで、第１密封要素１１４ａおよび第２密封要素１１４ｂは、上記高分子材料が、甲革膜１１２を把持し、甲革膜１１２および上記インサートの膜１１７を底革１１３へ密封するまで、それらを通して浸透した上記高分子材料によって含浸されている。
【００６９】
上記甲革の下部に対する底革１１３のオーバーモールドの間に、この靴の甲革部が嵌められる直接射出のための靴型が用意されるが、この靴型は、射出によって第１密封要素１１４ａへ浸透する高分子材料がそれを通して靴の中へ漏れ出すのを防止するために適したものである。
【００７０】
これに代えて、また、実質的に同等の方法で、底革１１３は、高分子材料を用いて事前型成形されると都合がよく、また、組付中底１１５ａおよび１１５ｂにおいて、接着剤によって甲革１１１の下部に結合されており、ここで、第１境界１１４ａおよび第２境界１１４ｂは、甲革膜１１２を把持し、甲革膜１１２および上記インサートの膜１１７を底革１１３へ密封するために、それらを通して浸透した上記接着剤によって含浸されている。
【００７１】
上記接着剤に代わるものとして、シリコーン接着剤あるいは熱可塑性接着剤あるいは「反応性ホットメルト」として一般に知られた密封剤のような接着剤および密封材料、例えば、登録商標Ｉｐａｔｈｅｒｍ  Ｓ  １４／１７６によって知られたもののようなポリウレタン、またはこの種の他のものを使用することができる。
【００７２】
具体的には、第１密封要素１１４ａおよび第２密封要素１１４ｂは、甲革膜１１２と上記インサートの膜１１７とを把持するためにそれらを通して浸透した上記密封用接着材料によって含浸されている。
【００７３】
底革１１３は、密封を完全にするために密封用接着材料により含浸された第２密封要素１１４ｂへ接着剤によって密封されている。
【００７４】
この第２実施形態においてもまた、図５に非限定的な例として示された代わりの組付体による解決法では、甲革１１１に、組付中底１１５ｂへの接続のためのフラップ１３０が備わっていて、これらのフラップ１３０は、甲革１１１と底革１１３との間にそれらの一部分が介在されるように、「ＡＧＯ靴型合わせ法」として知られた作業方法によって、組付中底１１５ｂの下方に折り曲げられている。
【００７５】
具体的には、接続用フラップ１３０は、底革１１３と第２密封要素１１４ｂとの間に一部分だけが介在されるように、また、甲革膜１１２を密封するためにその容易な含浸を妨げないように、組付中底１１５ｂの下方に折り曲げられている。
【００７６】
図６に非限定的な例として示された第３実施形態では、組付中底２１５には、水蒸気に対して透過性であるかあるいは散乱状に穿孔された中心要素２２８が備わっており、加えて、密封要素２１４は中心要素２２８に関する枠によって構成されていると、都合がよい。
【００７７】
好ましいのは、甲革膜２１２が甲革２１１へ少なくともその一部において内部で結合されていることであり、また、都合がよいのは、甲革膜２１２が、例えば靴の内側へ向けられた甲革２１１の面に、その取り扱いを改善するために適している少なくとも細かいナイロンメッシュによって、被覆されていることである。
【００７８】
有利であるのは、甲革２１１に、密封用接着剤によってあるいはその上にヒートシールされる密封用テープによって密封された縫い目があることである。
【００７９】
甲革２１１および甲革膜２１２は、いわゆる「ＡＧＯ靴型合わせ」作業法によって密封要素２１４と底革２１３との間にそれらの一部分が介在されるように、また、それらの接続部において甲革膜２１２の下部フラップが甲革２１１と密封要素２１４との間に挟み込まれるように、密封要素２１４に関する下向き領域に接続されている。
【００８０】
具体的には、甲革膜２１２の上記下部フラップは、一部分だけが底革２１３と密封要素２１４との間に介在されるように、また、甲革膜２１２を密封するための容易な含浸を妨げないように、組付中底２１５の下方に折り曲げられている。
【００８１】
ライニング２１９は、好ましくはシュトローベル縫い目２２９によって密封要素２１４の周辺領域へ接続されていると、都合がよい。
【００８２】
有利であるのは、底革２１３に、中心要素２２８において、透湿性・防水性インサート２１６と、対応する透湿性部分２１８とが備わっていることである。
【００８３】
図７に非限定な例として示された、上記実施形態の変形例では、中心要素２２８は透湿性・防水性インサート２１６によって構成されている。
【００８４】
この変形例では、透湿性・防水性インサート２１６には、周辺帯において底革２１３へ密封状に接続された上記インサートの膜２１７が備わっていると、有利である。
【００８５】
上記インサートの膜２１７は、底革２１３の透湿性部分２１８に対向しており、また、上記周辺帯を露出状態にする透湿性材料から作られた保護要素によって被覆されている。
【００８６】
さらにまた、上記インサートの膜２１７は、密封要素２１４へ周辺で接続されている。
【００８７】
底革２１３は、高分子材料から作られているのが好ましく、また、組付中底２１５において甲革２１１の下部への直接射出によって型成形されており、ここで、密封要素２１４は、甲革膜２１２を把持し、それを底革２１３へ密封するために、それを通して浸透した上記高分子材料によって含浸されている。
【００８８】
上記高分子材料は上記インサートの膜２１７をさらに把持している。
【００８９】
直接射出および実質的にそれと同等のものの代案である１つの方法では、底革２１３は、高分子材料から作られており、また、事前型成形されて、組付中底２１５において、接着剤によって甲革２１１の下部に結合されているのが好ましい。
【００９０】
密封要素２１４は、甲革膜２１２を把持してそれを底革２１３へ密封するために、それを通して浸透した上記接着剤によって含浸されている。
【００９１】
上記インサートの膜２１７は、その周辺帯で接着剤によって底革２１３へ接合されていると、都合がよい。
【００９２】
上記の接着剤に代わるものとして、シリコーン接着剤あるいは熱可塑性接着剤あるいは「反応性ホットメルト」として一般に知られた密封剤のような接着剤および密封材料、例えば、登録商標Ｉｐａｔｈｅｒｍ  Ｓ  １４／１７６によって知られたもののようなポリウレタン、またはこの種の他のものを使用することができる。
【００９３】
組付中底により形成された密封要素によってもたらされた、中底と膜と底革との間における接続領域の効果的な密封部が備わっている防水性・透湿性の靴を提供するこの発明によって、上記の意図された目標および諸目的が達成されることが実際にわかった。
【００９４】
具体的には、この発明による靴によれば、甲革の膜の、底革への、かつ／または、インサートの膜への効果的な密封接続が可能である。
【００９５】
さらにまた、この発明による、水に対して不透過性であり、かつ、水蒸気に対して透過性である靴は、構造的に簡単に獲得され、丈夫であり、また耐久性があり、さらに、公知のシステムおよび技術で製造することができる。
【００９６】
このように構想されたこの発明は、そのすべての細部が添付の特許請求の範囲における適用範囲内にある多数の改造および変更を受けることが可能であり、また、すべての細部は、技術的に同等の他の諸要素でさらに置き換えることも可能である。
【００９７】
実際に、使用される上記材料は、それらが特定の用途で互換可能である限り、不確定の形状および寸法とともに、諸要件および最新技術による任意のものであってよい。
【００９８】
この出願が優先権を主張するイタリア特許出願番号ＰＤ２００８Ａ０００３７７における開示は、参照によってこの明細書に組み入れられている。
【００９９】
任意の請求項において言及された技術的特徴構成が参照符号に従うときには、それらの参照符号は、特許請求の範囲の理解度を向上させる目的だけのために含まれており、そのような参照符号には、そのような参照符号によって例示として識別されたそれぞれの要素の解釈に関するどのような限定的効果もない。
【図１】
0005661046.tif 000002
【図２ａ】
0005661046.tif 000003
【図２ｂ】
0005661046.tif 000004
【図２ｃ】
0005661046.tif 000005
【図３】
0005661046.tif 000006
【図４】
0005661046.tif 000007
【図５】
0005661046.tif 000008
【図６】
0005661046.tif 000009
【図７】
0005661046.tif 000010
【図８】
0005661046.tif 000011
【図９】
0005661046.tif 000012